(57)【要約】【課題】一時的に作成したグループを煩雑な操作を必要とすることがなく解消することできる無線機を提供する。【解決手段】無線機は、無線機間における一時グループの形成または解消の制御を行う一時グループ形成・解消制御部と、前記一時グループの形成の発起により、所定の時間のタイマを起動するタイマ制御部と、を備え、前記タイマ制御部は、前記タイマが起動している状態で、前記一時グループでのグループ通話の開始を機に、前記タイマをリセットし、前記グループ通話の通話終了を機に、前記タイマを再起動し、前記一時グループ形成・解消制御部は、前記タイマが満了したら、前記一時グループを解消する。【選択図】図１
2020074618.tif 000002
【特許請求の範囲】
【請求項１】
無線機間における一時グループの形成または解消の制御を行う一時グループ形成・解消制御部と、
前記一時グループの形成の発起により、所定の時間のタイマを起動するタイマ制御部と、
を備え、
前記タイマ制御部は、
前記タイマが起動している状態で、前記一時グループでのグループ通話の開始を機に、前記タイマをリセットし、
前記グループ通話の通話終了を機に、前記タイマを再起動し、
前記一時グループ形成・解消制御部は、
前記タイマが満了したら、前記一時グループを解消する、
ことを特徴とする無線機。
【請求項２】
無線機間における一時グループへの参加または解消の制御を行う一時グループ参加・解除制御部を備え、
前記タイマ制御部は、
前記一時グループの形成への参加により、所定の時間のタイマを起動し、
前記タイマが起動している状態で、前記一時グループでのグループ通話の開始を機に、前記タイマをリセットし、
前記グループ通話の通話終了を機に、前記タイマを再起動し、
前記一時グループ参加・解除制御部は、
前記タイマが満了したら、前記一時グループを解消する、
ことを特徴とする請求項１に記載の無線機。
【請求項３】
前記タイマ制御部は、
前記タイマが起動している状態で、前記一時グループでのグループ通話の送信開始もしくは前記一時グループでのグループ通話の受信開始を機に、前記タイマをリセットし、
前記グループ通話の送信終了もしくは受信終了を機に、前記タイマを再起動する
ことを特徴とする請求項２に記載の無線機。
【請求項４】
前記一時グループ形成・解消制御部は、
一時グループに含まれる自ら以外の無線機を示す識別情報をメモリに記憶する制御を行い、
一時グループが解消された後に、同じ一時グループの形成を発起する指示を行う場合に、前記メモリに記憶されている識別情報に基づいて同じ一時グループを形成する制御を行う
請求項１から３のいずれか一項に記載の無線機。
【発明の詳細な説明】
【技術分野】
【０００１】
本発明は、一時的にグルーピングした複数の無線機が通信する無線通信システムの無線機に関する。
【背景技術】
【０００２】
特許文献１には、固定のグループではなく、状況に応じて一時的に自己の無線機を含む複数の無線機を任意にグルーピングして、グループ内で通信する無線通信システムが記載されている。
【先行技術文献】
【特許文献】
【０００３】
【特許文献１】特開平１１−１９６０２９号公報
【発明の概要】
【発明が解決しようとする課題】
【０００４】
複数の無線機を一時的にグルーピングしてグループ内で通信する場合、煩雑な操作を必要とすることなくグループを解消することが求められる。
【０００５】
本発明は、一時的に作成したグループを煩雑な操作を必要とすることがなく解消することができる無線機を提供することを目的とする。
【課題を解決するための手段】
【０００６】
本発明は、無線機間における一時グループの形成または解消の制御を行う一時グループ形成・解消制御部と、前記一時グループの形成の発起により、所定の時間のタイマを起動するタイマ制御部と、を備え、前記タイマ制御部は、前記タイマが起動している状態で、前記一時グループでのグループ通話の開始を機に、前記タイマをリセットし、前記グループ通話の通話終了を機に、前記タイマを再起動し、前記一時グループ形成・解消制御部は、前記タイマが満了したら、前記一時グループを解消することを特徴とする無線機を提供する。
【発明の効果】
【０００７】
本発明の無線機によれば、一時的に作成したグループを煩雑な操作を必要とすることがなく解消することできる。
【図面の簡単な説明】
【０００８】
【図１】一実施形態の無線通信システムで用いられる無線機の構成例を示すブロック図である。
【図２】一実施形態の無線通信システムの動作の第１の例を示すシーケンス図である。
【図３】無線機のメモリに記憶されている個別通信メンバ情報の一例を示す図である。
【図４】一時グループのメンバを選択するときに表示部に表示されるメンバのリストの表示例を示す図である。
【図５Ａ】無線機のメモリに記憶される一時グループメンバ情報の第１の状態を示す図である。
【図５Ｂ】無線機のメモリに記憶される一時グループメンバ情報の第２の状態を示す図である。
【図５Ｃ】無線機のメモリに記憶される一時グループメンバ情報の第３の状態を示す図である。
【図５Ｄ】無線機のメモリに記憶される一時グループメンバ情報の第４の状態を示す図である。
【図６】無線機１Ｂ及び１Ｃが一時グループに参加したときのグループＩＤリストを示す図である。
【図７】一実施形態の無線通信システムの動作の第２の例を示すシーケンス図である。
【発明を実施するための形態】
【０００９】
以下、一実施形態の無線通信システムについて、添付図面を参照して説明する。複数のメンバは図１に示す無線機１を所持している。一時グループの形成を発起したメンバをグループ形成者と称することとする。グループ形成者による一時グループの形成の発起に応答して、一時グループに参加したメンバをグループ参加者と称することとする。
【００１０】
まず、図１を用いて、無線通信システムで用いられる無線機１の構成例を説明する。図１において、無線機１は、制御部１０、メモリ２０、操作部３０、表示部４０、ベースバンド処理部５０、無線回路部６０、マイクロホン８０、スピーカ９０、無線送受信用のアンテナＡＮＴ１を備える。
【００１１】
制御部１０は、機能的な内部構成として、メッセージ送信制御部１１、一時グループ形成・解消制御部１２、一時グループ参加・解除制御部１３、タイマ制御部１４を有する。後述するように、グループ形成者が所持する無線機１は、一時グループ形成・解消制御部１２が動作する。グループ参加者が所持する無線機１は、一時グループ参加・解除制御部１３が動作する。
【００１２】
メモリ２０は、個別通信メンバ情報及び各種の設定情報を記憶している。メモリ２０は、一時グループメンバ情報を記憶することがある。グループ形成者が所持する無線機１のメモリ２０は、一時グループメンバ情報を記憶する。
【００１３】
制御部１０及びメモリ２０をマイクロコンピュータで構成してもよい。制御部１０は、マイクロコンピュータの中央処理装置（ＣＰＵ）であってもよい。メッセージ送信制御部１１、一時グループ形成・解消制御部１２、一時グループ参加・解除制御部１３、タイマ制御部１４は、ソフトウェア（コンピュータプログラム）によって実行される機能であってもよい。
【００１４】
操作部３０は、無線機１の筐体に設けられている各種のキー（ボタン）である。操作部３０は、ＰＴＴスイッチ３１及び一時グループ作成キー３２を含む。筐体に設けられているＰＴＴスイッチ３１以外の任意のキーに一時グループ作成の機能を割り当てることによって、一時グループ作成キー３２としてもよい。図示していないが、操作部３０は、電源をオンまたはオフする電源キー、他の無線機１と通信するときのチャンネル（周波数）を選択するチャンネル選択キー、上下左右のカーソルキー等も含む。
【００１５】
ユーザがＰＴＴスイッチ３１を押下してマイクロホン８０に向けて音声を発すると、制御部１０は、マイクロホン８０より出力された音声信号をＡ／Ｄ変換して、音声データをベースバンド処理部５０に供給する。ベースバンド処理部５０は、音声データを無線にて送信するための無線通信データに変換して無線回路部６０に供給する。無線回路部６０は、無線通信データを電波によってアンテナＡＮＴ１より送信する。
【００１６】
無線回路部６０は、アンテナＡＮＴ１を介して他の無線機１から受信した受信信号を無線通信データに変換してベースバンド処理部５０に供給する。ベースバンド処理部５０は、音声データを制御部１０に供給する。無線回路部６０は、半二重通信方式を用いて無線信号を送受信する。
【００１７】
制御部１０は、音声データをＤ／Ａ変換して音声信号をスピーカ９０に供給する。スピーカ９０は音声信号に基づき音声を出力する。
【００１８】
メッセージ送信制御部１１は、他の無線機１にメッセージを送信するよう制御する。一時グループ形成・解消制御部１２は一時グループを形成し、形成した一時グループを解消するよう制御することがある。一時グループ参加・解除制御部１３は、一時グループへの参加及び参加の解除を制御することがある。
【００１９】
タイマ制御部１４は、自己の無線機１と１または複数の他の無線機１とが一時グループを作成しているときに、タイマを起動することがある。
【００２０】
図２〜図４、図５Ａ〜図５Ｄ、図６、図７を用いて、無線通信システムの動作を説明する。図２に示すように、一例として、図１に示す無線機１が４台あるとする。メンバＡ〜Ｄが所持する無線機１をそれぞれ無線機１Ａ，１Ｂ，１Ｃ，１Ｄと称することとする。一時グループの形成を発起する無線機１と、一時グループの形成の発起に応答して、一時グループに参加する少なくとも１台の無線機１は、無線通信システムを構成する。
【００２１】
無線機１Ａ〜１Ｄには、それぞれ、端末ＩＤとして１〜４、一時グループＩＤとして１００，２００，３００，４００が設定されている。無線機１Ａ〜１Ｄは、グループＩＤリストを有する。グループＩＤリストに記載しているように、無線機１Ａ〜１ＤにはグループＩＤとして１０が設定されている。このグループＩＤは、一時グループとは異なる固定的なグループを示すＩＤである。即ち、無線機１Ａ〜１Ｄは、予め固定的なグループに属している。
【００２２】
さらに、無線機１Ａ〜１ＤにはグループＩＤとしてそれぞれ１００，２００，３００，４００が設定されている。このグループＩＤは、一時グループＩＤを示す。端末ＩＤ、一時グループＩＤ、及び、グループＩＤリストは、メモリ２０に設定情報として記憶されている。
【００２３】
メンバＡは、無線機１Ａを含む複数の無線機１よりなる一時グループを形成しようとしている。図２において、グループ形成者であるメンバＡは、ステップＳ１にて、一時グループ作成キー３２を押下する。
【００２４】
図３に示すように、メモリ２０は、無線機１と端末ＩＤとを対応付けた個別通信メンバ情報を記憶している。図４に示すように、制御部１０は、個別通信メンバ情報に基づいて、個別通信可能なメンバの無線機１のリストを表示部４０に表示させる。図４では無線機１Ｂ〜１Ｄしか表示されていないが、カーソルキーによって他の無線機１を表示させることができる。
【００２５】
個別通信可能なメンバとは、グループＩＤが１０である無線機１Ｂ〜１Ｄに限定されない。グループＩＤが１０以外であっても、無線機１Ａと個別通信できるように個別通信メンバ情報に登録されている無線機１であれば、表示部４０のリスト内に表示される。
【００２６】
図２において、メンバＡは、ステップＳ２にて、一時グループへの参加を望むメンバを選択する。図４に示すように、メンバＡは、ステップＳ２にて、無線機１Ｂ及び１Ｃ（メンバＢ及びＣ）を選択したとする。一時グループ形成・解消制御部１２は、図５Ａに示すような、無線機１と端末ＩＤと状態とを対応付けた一時グループメンバ情報をメモリ２０に記憶させる。
【００２７】
一時グループメンバ情報は、一時グループに含まれるグループ参加者の無線機１を識別するための識別情報である端末ＩＤを含む。一時グループメンバ情報を作成した時点では、状態の項目には何も記憶されていない。
【００２８】
メンバＡは、ステップＳ３にて、所定の操作を行うことによって、無線機１Ｂ及び１Ｃに対して一時グループＩＤ登録要求を発呼する。無線機１Ａのメッセージ送信制御部１１は、ステップＳ４にて、一時グループＩＤ登録要求メッセージ（以下、登録要求メッセージと略記する）を無線機１Ｂに送信するよう制御し、ステップＳ５にて、登録要求メッセージを無線機１Ｃに送信するよう制御する。
【００２９】
すると、無線機１Ａの一時グループ形成・解消制御部１２は、図５Ｂに示すように、一時グループメンバ情報の状態の項目に、無線機１Ｂ及び１Ｃに対して一時グループＩＤの登録を要求していることを意味する「要求中」を示すデータを記憶させる。
【００３０】
無線機１Ｂのメッセージ送信制御部１１は、ステップＳ６にて、一時グループＩＤの登録を完了したことを示す一時グループＩＤ登録完了メッセージ（以下、登録完了メッセージと略記する）を無線機１Ａに送信するよう制御する。無線機１Ｃのメッセージ送信制御部１１は、ステップＳ７にて、登録完了メッセージを無線機１Ａに送信するよう制御する。
【００３１】
無線機１Ａが無線機１Ｂ及び１Ｃより登録完了メッセージを受信すると、無線機１Ａの一時グループ形成・解消制御部１２は、図５Ｃに示すように、一時グループメンバ情報の状態の項目に、無線機１Ｂ及び１Ｃが一時グループＩＤを登録したことを意味する「登録」を示すデータを記憶させる。これによって、無線機１Ａの制御部１０は、図５Ｃに示す一時グループメンバ情報によって一時グループに参加している無線機１を認識することができる。
【００３２】
図６に示すように、無線機１Ｂ及び１Ｃの一時グループ参加・解除制御部１３は、グループＩＤリストに、無線機１Ａの一時グループＩＤである１００を追記する。これによって、無線機１Ｂ及び１Ｃの制御部１０は、無線機１Ａ（メンバＡ）が発起した一時グループに参加していることを認識することができる。無線機１Ａ及び１ＤのグループＩＤリストに変化はない。
【００３３】
無線機１Ａ〜１Ｃが一時グループを形成しているとき、制御部１０は表示部４０に一時グループを形成している最中であることを示す文字または画像を表示させることが好ましい。
【００３４】
無線機１Ｂのタイマ制御部１４は、無線機１Ａに登録完了メッセージを送信した直後の時刻ｔ１に、所定の時間のタイマＴＭｂを起動する。無線機１Ａのタイマ制御部１４は、無線機１Ｂからの登録完了メッセージを受信した直後の時刻ｔ２に、所定の時間のタイマＴＭａを起動する。
【００３５】
無線機１Ｃのタイマ制御部１４は、無線機１Ａに登録完了メッセージを送信した直後の時刻ｔ３に、所定の時間のタイマＴＭｃを起動する。無線機１Ａは、タイマＴＭａが起動中であるものの、無線機１Ｃからの登録完了メッセージを受信する。無線機１Ａのタイマ制御部１４は、登録完了メッセージを受信した直後の時刻ｔ４に、タイマＴＭａを再起動する。
【００３６】
無線機１Ｂまたは１Ｃが無線機１Ａに登録完了メッセージを送信したタイミング、及び、無線機１Ａが登録完了メッセージを受信したタイミングは、一時グループが形成されたタイミングとみなすことができる。無線機１Ａ〜１Ｃは、一時グループが形成されたら、タイマＴＭａ〜ＴＭｃを起動する。
【００３７】
タイマＴＭａ〜ＴＭｃの所定の時間は全て同じであり、例えば１０秒である。各メンバは、操作部３０によってタイマの時間を変更することができる。タイマの時間は、メモリ２０に設定情報として記憶されている。
【００３８】
タイマＴＭｂは時刻ｔ５で満了する。無線機１Ｂの一時グループ参加・解除制御部１３は、グループＩＤリストから無線機１Ａの一時グループＩＤである１００を消去し、一時グループへの参加を解除する。同様に、タイマＴＭｃは時刻ｔ６で満了する。無線機１Ｃの一時グループ参加・解除制御部１３は、グループＩＤリストから無線機１Ａの一時グループＩＤである１００を消去し、一時グループへの参加を解除する。
【００３９】
タイマＴＭａは時刻ｔ７で満了する。無線機１Ａの一時グループ形成・解消制御部１２は、図５Ｄに示すように、一時グループメンバ情報の状態の項目に、無線機１Ｂ及び１Ｃが一時グループのメンバから解除されていることを意味する「解除中」を示すデータを記憶させる。これによって、グループ形成者によって作成された一時グループは一旦解消される。
【００４０】
グループ参加者の全てが一時グループへの参加を解除した時点で、一時グループは解消される。
【００４１】
メンバＡが図４で選択したのと同じメンバであるメンバＢ及びＣ（無線機１Ｂ及び１Ｃ）で再び一時グループを形成しようとしているとする。メンバＡが一時グループ作成キー３２を長押ししたら、無線機１Ａの一時グループ形成・解消制御部１２は、図５Ｄに示す一時グループメンバ情報に基づいて、ステップＳ３と同様に無線機１Ｂ及び１Ｃに対して一時グループＩＤ登録要求を発呼して、ステップＳ４及びＳ５と同様に無線機１Ｂ及び１Ｃに登録要求メッセージを送信する。
【００４２】
一時グループ作成キー３２の長押しは、一時グループが解消された後に、同じ一時グループを形成する指示の一例である。
【００４３】
図５Ｄに示すように、一時グループが一旦解消されても、一時グループメンバ情報は一時グループ解消前のグループ参加者を示す識別情報を保持しているので、メンバＡはステップＳ２のようなメンバ選択を改めて行うことなく、再び同じ一時グループを形成することができる。
【００４４】
次に、図７を用いて、図２における時刻ｔ５以前でタイマＴＭａ〜ＴＭｃが起動している状態で、メンバＡがＰＴＴスイッチ３１を押下して、メンバＡ〜Ｃ間でグループ通話をする場合の動作を説明する。
【００４５】
図７において、メンバＡは、タイマＴＭａ〜ＴＭｃが起動している状態で、ステップＳ１１にて、無線機１ＡのＰＴＴスイッチ３１を押下する。すると、無線機１Ａは、ステップＳ１２及びＳ１３にて、一時グループ通話を開始して、無線機１Ｂ及び１Ｃに音声信号を送信する。なお、メンバＡがマイクロホン８０に向けて音声を発すれば、送信される音声信号は実際の音声信号を含むが、音声を発しなければ、送信される音声信号はほぼ無音状態の音声信号となる。
【００４６】
無線機１Ａ〜１Ｃのタイマ制御部１４は、一時グループ通話を開始した直後の時刻ｔ１１で、タイマＴＭａ〜ＴＭｃをリセットする。
【００４７】
メンバＡは、ステップＳ１４にて、ＰＴＴスイッチ３１を開放する。すると、無線機１Ａは、ステップＳ１５及びＳ１６にて、一時グループ通話を終了する。ＰＴＴスイッチ３１を押下してからＰＴＴスイッチ３１を開放するまでの期間、無線機１Ａから無線機１Ｂ及び１Ｃへと、一時グループ通話の音声信号が送信されている。
【００４８】
無線機１Ａ〜１Ｃのタイマ制御部１４は、一時グループ通話を終了した直後の時刻ｔ１２で、タイマＴＭａ〜ＴＭｃを再起動する。タイマＴＭａ〜ＴＭｃは、上述した所定の時間の経過後である時刻ｔ１３で満了する。タイマＴＭａ〜ＴＭｃが満了することによって、同様に、一時グループは解消される。
【００４９】
図７では、メンバＡがＰＴＴスイッチ３１を押下した場合を示しているが、メンバＢまたはＣがＰＴＴスイッチ３１を押下した場合も同様に、無線機１Ａ〜１Ｃのタイマ制御部１４は、タイマＴＭａ〜ＴＭｃをリセットする。
【００５０】
いずれかのメンバがＰＴＴスイッチ３１を押下して一時グループ通話を開始したらタイマＴＭａ〜ＴＭｃをリセットすることにより、一時グループ通話が途切れることなく、一時グループ通話を完了させることができる。
【００５１】
一時グループが形成された後であって、ＰＴＴスイッチ３１が押下されて送信する側の無線機を送信側無線機、ＰＴＴスイッチ３１が押下された無線機から送信された信号を受信する側の無線機を受信側無線機とする。送信側無線機は、無線機１Ａ〜１Ｃのいずれでもよく、受信側無線機は、無線機１Ａ〜１Ｃのいずれかが送信している場合は、送信している無線機以外の無線機となる。
【００５２】
一時グループ通話の開始後、送信側無線機は、送信開始を機にタイマをリセットし、送信終了を機にタイマを再起動する。ここで、送信側無線機を無線機１Ａとする。無線機１Ａは、ＰＴＴスイッチ３１が押下されることによりタイマＴＭａをリセットする。無線機１Ａは、ＰＴＴスイッチが開放されるとタイマＴＭａを再起動する。
【００５３】
一時グループ通話の開始後、受信側無線機は、送信側無線機からの送信信号の受信開始を機にタイマをリセットする。また、受信側無線機は、送信側無線機からの送信信号の受信終了を機にタイマを再起動する。ここで、受信側無線機を無線機１Ｂ及び無線機１Ｃとする。無線機１Ｂ及び無線機１Ｃは、無線機１Ａからの送信信号の検出をトリガとして、無線機１ＢはタイマＴＭｂをリセットし、無線機１ＣはタイマＴＭｃをリセットする。
【００５４】
また、無線機１Ｂ及び無線機１Ｂは、無線機１Ａからの送信信号の検出ができなくなると、無線機１ＢはタイマＴＭｂを再起動し、無線機１ＣはタイマＴＭｃを再起動する。送信信号の検出は、信号強度が所定のレベル以上であった場合、または送信信号に含まれる一時グループＩＤを検出した場合のいずれであってもよい。
【００５５】
以上により、一時グループのメンバのいずれかが、タイマの終了前に信号を送信することにより一時グループは維持され、タイマの終了とともに一時グループを速やかに解消す
ることができる。
【００５６】
グループ形成者がチャンネル選択キーを操作してチャンネルを変更した場合には、グループ形成者の無線機１は一時グループの終了を示すメッセージをグループ参加者の無線機１に送信し、グループ参加者の無線機１は一時グループへの参加を解除するのがよい。
【００５７】
グループ形成者が電源キーを押下してグループ形成者の無線機１の電源をオフした場合も同様に、一時グループの終了を示すメッセージをグループ参加者の無線機１に送信し、グループ参加者の無線機１は一時グループへの参加を解除するのがよい。
【００５８】
本発明は以上説明した本実施形態に限定されるものではなく、本発明の要旨を逸脱しない範囲において種々変更可能である。
【符号の説明】
【００５９】
１，１Ａ，１Ｂ，１Ｃ，１Ｄ  無線機
１１  メッセージ送信制御部
１２  一時グループ形成・解消制御部（一時グループ形成制御部）
１３  一時グループ参加・解除制御部
１４  タイマ制御部
【図１】
2020074618.tif 000003
【図２】
2020074618.tif 000004
【図３】
2020074618.tif 000005
【図４】
2020074618.tif 000006
【図５Ａ】
2020074618.tif 000007
【図５Ｂ】
2020074618.tif 000008
【図５Ｃ】
2020074618.tif 000009
【図５Ｄ】
2020074618.tif 000010
【図６】
2020074618.tif 000011
【図７】
2020074618.tif 000012